(57)【要約】      （修正有）【課題】設置場所に応じて大きさを自由に調整することができる、シート保持具、および、パーティションを提供する。【解決手段】樹脂シート４を展張するために設置対象の設置対象面に立設されるとともに、対向して設置されて前記樹脂シート４の両端部をそれぞれ保持する、第一方立２と、第二方立３と、を備え、第一方立２が、第一本体部２１と、樹脂シート４の一方側端部を保持する第一シート保持部と、を有し、第二方立３が、第二本体部３１と、樹脂シート４の他方側端部を保持する第二シート保持部と、を有し、第一シート保持部と第二シート保持部のうちの少なくとも一方には、第一方立２と第二方立３との対向方向外側に向かって、樹脂シート４を付勢する付勢手段（ばね部材）が設けられている。【選択図】図１
2022000556.tif 000002
【特許請求の範囲】
【請求項１】
樹脂シートを展張するために設置対象の設置対象面に立設されるとともに、対向して設置されて前記樹脂シートの両端部をそれぞれ保持する、第一方立と、第二方立と、を備え、
前記第一方立が、前記樹脂シートを前記第二方立に向かって導出する第一導出部分を有する第一本体部と、前記樹脂シートの一方側端部を保持する第一シート保持部と、を有して構成され、
前記第二方立が、前記樹脂シートを前記第一方立に向かって導出する第二導出部分を有する第二本体部と、前記樹脂シートの他方側端部を保持する第二シート保持部と、を有して構成され、
前記第一シート保持部と前記第二シート保持部のうちの少なくとも一方には、前記第一方立と前記第二方立との対向方向外側に向かって、前記樹脂シートを付勢する付勢手段が設けられている、シート保持具。
【請求項２】
前記第一シート保持部が、
前記対向方向に延びる第一平板状部材と、
平面視Ｌ字状であって、前記第一平板状部材との間に前記樹脂シートを保持する第一保持部分と、前記第一保持部分の前記対向方向における前記第一導出部分側の端部から前記対向方向に対する垂直方向に延びる第一垂直部分と、を有する第一Ｌ字状部材と、
前記第一Ｌ字状部材の前記第一垂直部分と前記第一本体部との間に設けられ、前記対向方向に弾性変形可能なばね部材と、を有して構成されることを特徴とする、請求項１に記載のシート保持具。
【請求項３】
前記第二シート保持部が、
前記対向方向に延びる第二平板状部材と、
前記第二平板状部材との間に前記樹脂シートを保持する第二保持部分と、前記第二保持部分の前記対向方向における前記第二導出部分側の端部から、前記対向方向に対する垂直方向に延びる第二垂直部分と、を有する第二Ｌ字状部材と、
前記対向方向において、前記付勢手段の付勢力を調整する調整手段と、を有して構成されることを特徴とする、請求項１または２に記載のシート保持具。
【請求項４】
前記第一方立が、前記設置対象に前記第一方立を固定する第一固定部をさらに有して構成され、
前記第二方立が、前記設置対象に前記第二方立を固定する第二固定部をさらに有して構成されることを特徴とする、請求項１〜３のいずれか１項に記載のシート保持具。
【請求項５】
請求項１〜４のいずれか１項に記載のシート保持具と、前記シート保持具に保持される樹脂シートと、を備えることを特徴とする、パーティション。
【請求項６】
前記樹脂シートが不燃性であることを特徴とする、請求項５に記載のパーティション。
【請求項７】
前記樹脂シートが、第一ポリエチレンテレフタレートシート層、内部にガラス繊維織物が配された単一層である紫外線硬化樹脂層、および、第二ポリエチレンテレフタレートシート層がこの順に積層されたシートであることを特徴とする、請求項６に記載のパーティション。
【請求項８】
前記樹脂シートの厚さ寸法が、０．０１ｍｍ〜１．０ｍｍであることを特徴とする、請求項５〜７のいずれか１項に記載のパーティション。
【発明の詳細な説明】
【技術分野】
【０００１】
本発明は、シート保持具、および、パーティションに関する。
【背景技術】
【０００２】
従来、空間を仕切るために用いる設備として、パーティションが種々提案されている。例えば、特許文献１に記載のパーティションは、矩形状のパネルと、パネルの周縁部を囲むように設けられる枠体と、枠体に取り付けされて、設置面に設置するための足部材を有する。このようなパーティションを用いることにより、空間を区画することができる。
【先行技術文献】
【特許文献】
【０００３】
【特許文献１】特開２０１８−４８４４６号公報
【発明の概要】
【発明が解決しようとする課題】
【０００４】
しかしながら、従来のパーティションは、パネルとして、樹脂板や金属板等の剛性の高い板状部材を用いており、予め定められた規格サイズの製品を設置寸法に合わせて選択する必要があった。また、幅の大きい場所を仕切る場合には、複数のパーティションを設置する必要があった。このことから、従来のパーティションは、設置場所に合わせて寸法を調整することは困難であった。
【０００５】
したがって、本発明は、上記のような問題点に着目し、設置場所に応じて大きさを自由に調整することができる、シート保持具、および、パーティションを提供することを目的とする。
【課題を解決するための手段】
【０００６】
本発明のシート保持具は、樹脂シートを展張するために設置対象の設置対象面に立設されるとともに、対向して設置されて前記樹脂シートの両端部をそれぞれ保持する、第一方立と、第二方立と、を備え、前記第一方立が、前記樹脂シートを前記第二方立に向かって導出する第一導出部分を有する第一本体部と、前記樹脂シートの一方側端部を保持する第一シート保持部と、を有して構成され、前記第二方立が、前記樹脂シートを前記第一方立に向かって導出する第二導出部分を有する第二本体部と、前記樹脂シートの他方側端部を保持する第二シート保持部と、を有して構成され、前記第一シート保持部と前記第二シート保持部のうちの少なくとも一方には、前記第一方立と前記第二方立との対向方向外側に向かって、前記樹脂シートを付勢する付勢手段が設けられている。
【０００７】
また、本発明のシート保持具において、前記第一シート保持部が、前記対向方向に延びる第一平板状部材と、平面視Ｌ字状であって、前記第一平板状部材との間に前記樹脂シートを保持する第一保持部分と、前記第一保持部分の前記対向方向における前記第一導出部分側の端部から前記対向方向に対する垂直方向に延びる第一垂直部分と、を有する第一Ｌ字状部材と、前記第一Ｌ字状部材の前記第一垂直部分と前記第一本体部との間に設けられ、前記対向方向に弾性変形可能なばね部材と、を有して構成されていてもよい。
【０００８】
また、本発明のシート保持具において、前記第二シート保持部が、前記対向方向に延びる第二平板状部材と、前記第二平板状部材との間に前記樹脂シートを保持する第二保持部分と、前記第二保持部分の前記対向方向における前記第二導出部分側の端部から、前記対向方向に対する垂直方向に延びる第二垂直部分と、を有する第二Ｌ字状部材と、前記対向方向において、前記付勢手段の付勢力を調整する調整手段と、を有して構成されていてもよい。
【０００９】
また、本発明のシート保持具において、前記第一方立が、前記設置対象に前記第一方立を固定する第一固定部をさらに有して構成され、前記第二方立が、前記設置対象に前記第二方立を固定する第二固定部をさらに有して構成されていてもよい。
【００１０】
本発明のパーティションは、本発明のシート保持具と、前記シート保持具に保持される樹脂シートと、を備える。
【００１１】
また、本発明のパーティションにおいて、前記樹脂シートが不燃性であることが好ましい。
【００１２】
また、本発明のパーティションにおいて、前記樹脂シートが、第一ポリエチレンテレフタレートシート層、内部にガラス繊維織物が配された単一層である紫外線硬化樹脂層、おおよび、第二ポリエチレンテレフタレートシート層がこの順に積層されたシートであってもよい。
【００１３】
また、本発明のパーティションにおいて、前記樹脂シートの厚さ寸法が、０．０１ｍｍ〜１．０ｍｍであることが好ましい。
【発明の効果】
【００１４】
本発明のシート保持具は、樹脂シートを展張するために設置対象面に立設されるとともに、対向して設置されて樹脂シートの両端部をそれぞれ保持する、第一方立と、第二方立と、を備える。樹脂シートは、所望の大きさに裁断して使用することが容易であることから、本発明のシート保持具に樹脂シートを保持させることにより、設置場所に応じて大きさを自由に調整することができるパーティションとすることができる。
【００１５】
また、本発明のシート保持具は、第一シート保持部と第二シート保持部のうちの少なくとも一方には、第一方立と第二方立との対向方向外側に向かって、樹脂シートを付勢する付勢手段が設けられている。このことから、本発明のシート保持具を用いて樹脂シートを保持させる場合に、しわや弛みの発生を抑制して、樹脂シートを均一に展張することができる。
【００１６】
本発明のパーティションは、本発明のシート保持具と、シート保持具に保持される樹脂シートと、を備える。樹脂シートは、所望の大きさに裁断して使用することが容易であることから、シート保持具に樹脂シートを保持させることにより、設置場所に応じて大きさを自由に調整することができるパーティションとすることができる。また、本発明のシート保持具を用いることにより、しわや弛みの発生を抑制して、樹脂シートを均一に展張することができる。
【図面の簡単な説明】
【００１７】
【図１】本発明の一実施形態にかかるシート保持具およびパーティションを示す側面図である。
【図２】図１に示したシート保持具およびパーティションにおける、第一方立および樹脂シートを示す矢視Ａ−Ａ線断面図である。
【図３】図１に示したシート保持具およびパーティションにおける、第二方立および樹脂シートを示す矢視Ｂ−Ｂ線断面図である。
【図４】図２に示した第一方立および樹脂シートを示す斜視図である。
【発明を実施するための形態】
【００１８】
本発明の一実施形態にかかるシート保持具およびパーティションについて、図面を参照して説明する。
【００１９】
本実施形態のシート保持具およびパーティションは、屋内等の空間を間仕切りする用途に用いることができる。特に、後述するように、シート保持具に保持される樹脂シートとして、無色透明な樹脂シートを用いることにより、オフィスや会議室のデスク、店舗のレジカウンター、受付窓口等の、複数の人が対面して会話等が行われる場所において、空間を仕切って飛沫感染等を抑制する用途に好適に用いることができる。本実施形態においては、設置対象面Ｓ１を有する設置対象Ｓのデスクに設置するパーティションを例示して説明する。
【００２０】
本実施形態のパーティション１００は、シート保持具１と、シート保持具１に保持される樹脂シート４と、を備える。
【００２１】
また、本実施形態のシート保持具１は、樹脂シート４を展張するために設置対象Ｓの設置対象面Ｓ１に立設されるとともに、対向して設置されて樹脂シート４の両端部４１，４２をそれぞれ保持する、第一方立２と、第二方立３と、を備える。
【００２２】
第一方立２および第二方立３は、それぞれ鉛直方向に延びる長尺部材であって、その長さは２００ｍｍ〜１３００ｍｍ程度である。また、樹脂シート４の設置対象面Ｓ１からの高さ寸法は、２００ｍｍ〜１３００ｍｍ程度に設定されている。
【００２３】
なお、図面において、矢印Ｘ方向は第一方立２と第二方立３の対向方向、矢印Ｙ方向は鉛直方向、矢印Ｚ方向は対向方向との垂直方向を示すものとする。
【００２４】
（第一方立）
第一方立２は、図１、図２に示すように、樹脂シート４を第二方立３に向かって導出する第一導出部分２１ａを有する第一本体部２１と、樹脂シート４の一方側端部４１を保持する第一シート保持部２２と、設置対象面Ｓ１に第一方立２を固定する第一固定部２３と、を有して構成されている。
【００２５】
第一本体部２１は、いずれもアルミニウムの押出材である、第一本体部材２１１と、第二本体部材２１２と、背面部材２１３と、を有する。第一本体部２１は、第一本体部材２１１、第二本体部材２１２、背面部材２１３を組み合わせることにより、設置対象面Ｓ１に設置された際にＹ方向（鉛直方向）に延びる、角棒状の部品となる。
【００２６】
第一本体部材２１１は、平面視において、略コ字状の部材であって、Ｘ方向（対向方向）に延びる第一面部２１１ａと、第一面部２１１ａとＺ方向に対向する第二面部２１１ｂと、第一面部２１１ａと第二面部２１１ｂの対向方向外側端部同士を連結して、Ｚ方向延びる背面部２１１ｃと、を有する。
【００２７】
第二面部２１１ｂには、第一本体部材２１１のＺ方向内側に凹状に形成された嵌合凹部２１１ｄと、第一本体部材２１１と第二本体部材２１２とを締結するねじ２４ｂを挿通するねじ穴２１１ｅが設けられている。また、背面部２１１ｃには、背面部材２１３を嵌める凹部２１１ｆと、第一本体部材２１１と背面部材２１３とを締結するねじ２４ａを挿通するねじ穴２１１ｇが設けられている。
【００２８】
第二本体部材２１２は、平面視において、略Ｌ字状の部材であって、Ｘ方向（対向方向）に延びる第一面部２１２ａと、第一面部２１２ａのＸ方向（対向方向）内側端部からＺ方向に延びる第二面部２１２ｂと、を有する。第一面部２１２ａには、第一本体部材２１１の嵌合凹部２１１ｄに嵌合する嵌合凸部２１２ｃと、ねじ２４ｂを挿通するねじ穴２１２ｄが設けられている。また、第二面部２１２ｂの内側には、後述するボルト部材２２４を固定する、ナット部材２１２ｅが固定されている。
【００２９】
背面部材２１３は、第一本体部材２１１の凹部２１１ｆに嵌められる板状の部材であって、ねじ２４ａの頭部に対応したテーパー状の穴２１３ａが設けられている。また、背面部材２１３は、図１、図４に示すように、第一本体部材２１１、第二本体部材２１２よりも第一固定部２３側に延びて、ねじ２４ｃを用いて、第一固定部２３のクランプ部材２３１に固定されている。
【００３０】
また、図２に示すように、第一方立２において、第一本体部材２１１の第一面部２１１ａのＸ方向内側端部２１１ｈと、第二本体部材２１２の第二面部２１２ｂの第一面部２１２ａとは連結していない端部２１２ｆとは、樹脂シート４の厚さ寸法よりもわずかに大きな寸法を空けて対向しており、樹脂シート４を導出する第一導出部分２１ａを形成している。
【００３１】
第一シート保持部２２は、第一本体部２１の内部に設けられており、樹脂シート４の一方側端部４１を保持する。
【００３２】
第一シート保持部２２は、対向方向（Ｘ方向）に延びる第一平板状部材２２１と、第一Ｌ字状部材２２２と、対向方向に弾性変形可能なばね部材２２３と、ばね部材２２３がずれないように位置決めをするボルト部材２２４と、を有して構成されている。ばね部材２２３およびボルト部材２２４は、第一方立２の高さ方向において、上下２箇所に設けられている。
【００３３】
第一平板状部材２２１は、対向方向（Ｘ方向）に延びており、第一平板状部材２２１と第一Ｌ字状部材２２２とを締結するボルト２２５ａを挿通する穴２２１ａが設けられている。第一平板状部材２２１と第一Ｌ字状部材２２２とは、図２に示すように、ボルト２２５ａとナット２２５ｂにより固定される。
【００３４】
第一Ｌ字状部材２２２は、平面視Ｌ字状であって、対向方向（Ｘ方向）に延びて、第一平板状部材２２１との間に樹脂シート４を保持する第一保持部分２２２ａと、第一保持部分２２２ａの対向方向における第一導出部分２１ａ側の端部から対向方向に対する垂直方向（Ｚ方向）に延びる第一垂直部分２２２ｂと、を有する。第一保持部分２２２ａには、ボルト２２５ａを挿通する穴２２２ｃが設けられ、第一垂直部分２２２ｂには、ボルト部材２２４を挿通する穴２２２ｄが設けられている。穴２２２ｄは、ボルト部材２２４の外周面と干渉しない程度の大きさに形成されている。
【００３５】
ばね部材２２３は、第一方立２と第二方立３との対向方向外側に向かって、樹脂シート４を付勢する、付勢手段である。
【００３６】
ばね部材２２３は、対向方向（Ｘ方向）に弾性変形可能なコイルばねであり、第一Ｌ字状部材２２２の第一垂直部分２２２ｂと第一本体部２１の第二面部２１２ｂとの間に設けられている。ばね部材２２３は、ナット部材２１２ｅの外周に嵌合されるとともに、ボルト部材２２４が挿通されており、弾性変形したとき等に設置位置がずれないように、位置決めされている。
【００３７】
これにより、ばね部材２２３は、第一Ｌ字状部材２２２の第一垂直部分２２２ｂを第一方立２と第二方立３との対向方向外側に向かって付勢することにより、樹脂シート４を付勢することができる。
【００３８】
第一本体部２１の第一本体部材２１１、第二本体部材２１２、背面部材２１３、第一シート保持部２２の第一平板状部材２２１、第一Ｌ字状部材２２２は、いずれも、矢印Ｙ方向に長尺状の部材である。また、これらの部材同士は、ねじ２４ａ，２４ｂ、ボルト２２５ａを用いて、Ｙ方向に２箇所で締結されている。また、ばね部材２２３、ボルト部材２２４も、Ｙ方向において２箇所に設けられている。
【００３９】
第一固定部２３は、設置対象Ｓに第一方立２を固定する、クランプである。第一固定部２３は、クランプ部材２３１と、クランプ固定ねじ２３２と、を有する。クランプ部材２３１は、設置対象Ｓの端部を後述する支持板２３２ｃと挟むＵ字状のクランプ本体部２３１ａと、第一本体部２１を保持する方立保持部２３１ｂと、を有する。また、クランプ固定ねじ２３２は、ねじ本体２３２ａと、ねじ本体２３２ａの一方側端部に設けられたハンドル部２３２ｂと、ねじ本体２３２ａの他方側端部に設けられ支持板２３２ｃと、を有する。ハンドル部２３２ｂを回転させてねじ本体２３２ａを回すことにより、クランプ本体部２３１ａと支持板２３２ｃとの間の距離を調節することができる。
【００４０】
（第二方立）
第二方立３は、第一方立２とほぼ同様の構成を有しているが、樹脂シート４を保持する第二シート保持部３２の構成が異なる。
【００４１】
第二方立３は、図１、図３に示すように、樹脂シート４を第一方立２に向かって導出する第二導出部分３１ａを有する第二本体部３１と、樹脂シート４の他方側端部４２を保持する第二シート保持部３２と、設置対象面Ｓ１に第二方立３を固定する第二固定部３３と、を有して構成されている。
【００４２】
第二本体部３１は、いずれもアルミニウムの押出材である、第一本体部材３１１と、第二本体部材３１２と、背面部材３１３と、を有する。第二本体部３１は、第一本体部材３１１、第二本体部材３１２、背面部材３１３を組み合わせることにより、設置対象面Ｓ１に設置された際にＹ方向（鉛直方向）に延びる、角棒状の部品となる。
【００４３】
第一本体部材３１１は、平面視において、略コ字状の部材であって、Ｘ方向（対向方向）に延びる第一面部３１１ａと、第一面部３１１ａとＺ方向に対向する第二面部３１１ｂと、第一面部３１１ａと第二面部３１１ｂの対向方向外側端部同士を連結して、Ｚ方向延びる背面部３１１ｃと、を有する。
【００４４】
第二面部３１１ｂには、第一本体部材３１１のＺ方向内側に凹状に形成された嵌合凹部３１１ｄと、第一本体部材３１１と第二本体部材３１２とを締結するねじ３４ｂを挿通するねじ穴３１１ｅが設けられている。また、背面部３１１ｃには、背面部材３１３を嵌める凹部３１１ｆと、第一本体部材３１１と背面部材３１３とを締結するねじ３４ａを挿通するねじ穴３１１ｇが設けられている。
【００４５】
第二本体部材３１２は、平面視において、略Ｌ字状の部材であって、Ｘ方向（対向方向）に延びる第一面部３１２ａと、第一面部３１２ａのＸ方向（対向方向）内側端部からＺ方向に延びる第二面部３１２ｂと、を有する。第一面部３１２ａには、第一本体部材３１１の嵌合凹部３１１ｄに嵌合する嵌合凸部３１２ｃと、ねじ３４ｂを挿通するねじ穴３１２ｄが設けられている。また、第二面部３１２ｂには、後述する調整ボルト３２３の頭部３２３ａを工具等で操作することができるように、頭部３２３ａの先端部を露出するための穴３１２ｅが設けられている。
【００４６】
背面部材３１３は、第一本体部材３１１の凹部３１１ｆに嵌められる板状の部材であって、ねじ３４ａの頭部に対応したテーパー状の穴３１３ａが設けられている。また、背面部材３１３は、図１に示すように、第一本体部材３１１、第二本体部材３１２よりも第二固定部３３側に延びて、第二固定部３３のクランプ部材３３１に固定されている。
【００４７】
また、図３に示すように、第二方立３において、第一本体部材３１１の第一面部３１１ａのＸ方向内側端部３１１ｈと、第二本体部材３１２の第二面部３１２ｂの第一面部３１２ａとは連結していない端部３１２ｆとは、樹脂シート４の厚さ寸法よりもわずかに大きな寸法を空けて対向しており、樹脂シート４を導出する第二導出部分３１ａを形成している。
【００４８】
第二シート保持部３２は、第二本体部３１の内部に設けられており、樹脂シート４の他方側端部４２を保持する。
【００４９】
第二シート保持部３２は、対向方向（Ｘ方向）に延びる第二平板状部材３２１と、第二Ｌ字状部材３２２と、対向方向（Ｘ方向）において、付勢手段（第一方立２のばね部材２２３）の付勢力を調整する調整手段としての調整ボルト３２３と、を有して構成されている。調整ボルト３２３は、第二方立３の高さ方向において、上下２箇所に設けられている。
【００５０】
第二平板状部材３２１は、対向方向（Ｘ方向）に延びており、第二平板状部材３２１と第二Ｌ字状部材３２２とを締結するボルト３２５ａを挿通する穴３２１ａが設けられている。第二平板状部材３２１と第二Ｌ字状部材３２２とは、図３に示すように、ボルト３２５ａとナット３２５ｂにより固定される。
【００５１】
第二Ｌ字状部材３２２は、平面視Ｌ字状であって、対向方向（Ｘ方向）に延びて、第二平板状部材３２１との間に樹脂シート４を保持する第二保持部分３２２ａと、第二保持部分３２２ａの対向方向における第二導出部分３１ａ側の端部から対向方向に対する垂直方向（Ｚ方向）に延びる第二垂直部分３２２ｂと、を有する。第二保持部分３２２ａには、ボルト３２５ａを挿通する穴３２２ｃが設けられ、第二垂直部分３２２ｂには、調整ボルト３２３を螺合するねじ穴３２２ｄが設けられている。
【００５２】
調整手段は、調整ボルト３２３を有して構成されている。調整ボルト３２３は、ワッシャー付きの頭部３２３ａと、ボルト本体３２３ｂと、抜け止め部材３２３ｃと、を有している。頭部３２３ａのワッシャーは、第二面部３１２ｂの穴３１２ｅの寸法よりも大きく形成されている。また、調整ボルト３２３は、頭部３２３ａのワッシャーが抜け止め部材３２３ｃと第二本体部材３１２の第二面部３１２ｂとに挟まれており、第二本体部材３１２の第二面部３１２ｂに固定されている。
【００５３】
調整手段は、調整ボルト３２３を有して構成されていることにより、調整ボルト３２３をねじ穴３２２ｄから抜け出す方向またはねじ穴３２２ｄに挿し込む方向に回転させて、第二Ｌ字状部材３２２の第二垂直部分３２２ｂの対向方向の位置を調整することにより、シート保持具１に保持されている樹脂シート４のテンションを調整することができる。
【００５４】
第二本体部３１の第一本体部材３１１、第二本体部材３１２、背面部材３１３、第二シート保持部３２の第二平板状部材３２１、第二Ｌ字状部材３２２は、いずれも、矢印Ｙ方向に長尺状の部材である。また、これらの部材同士は、ねじ３４ａ，３４ｂ、ボルト
３２５ａを用いて、Ｙ方向に２箇所で締結されている。また、調整ボルト３２３も、Ｙ方向において２箇所に設けられている。
【００５５】
第二固定部３３は、設置対象Ｓに第二方立３を固定する、クランプである。第二固定部３３は、クランプ部材３３１と、クランプ固定ねじ３３２と、を有する。クランプ部材３３１は、設置対象Ｓの端部を後述する支持板３３２ｃと挟むＵ字状のクランプ本体部３３１ａと、第二本体部３１を保持する方立保持部３３１ｂと、を有する。また、クランプ固定ねじ３３２は、ねじ本体３３２ａと、ねじ本体３３２ａの一方側端部に設けられたハンドル部３３２ｂと、ねじ本体３３２ａの他方側端部に設けられ支持板３３２ｃと、を有する。ハンドル部３３２ｂを回転させてねじ本体３３２ａを回すことにより、クランプ本体部３３１ａと支持板３３２ｃとの間の距離を調節することができる。
【００５６】
（樹脂シート）
樹脂シート４は、無色透明な樹脂シートである。樹脂シート４が無色透明であることにより、例えば、オフィス、会議室、店舗のレジカウンター、受付窓口等の、複数の人が対面して会話等が行われる場所においても、対面した人同士の意思疎通を阻害することなく、かつ、空間を仕切ることができる。また、樹脂シート４の材質は特に限定されず、例えば、ポリエステル系樹脂、ポリカーボネート系樹脂、ポリ塩化ビニル系樹脂、アクリル系樹脂、ポリオレフィン系樹脂、フッ素系樹脂等を用いることができる。
【００５７】
また、樹脂シート４は、不燃性の樹脂シートであることが好ましく、これにより、パーティション１００に不燃性を付与することができる。
【００５８】
また、樹脂シート４として用いる不燃性の樹脂シートの材質は特に限定されない。例えば、不燃性の樹脂シートとして、第一ポリエチレンテレフタレートシート層、内部にガラス繊維織物が配された単一層である紫外線硬化樹脂層、および、第二ポリエチレンテレフタレートシート層がこの順に積層されたシートを用いることができる。また、さらに、第一ポリエチレンテレフタレートシート層および第二ポリエチレンテレフタレートシート層のポリエチレンテレフタレートシートの屈折率が１．６であり、ガラス繊維織物の屈折率が１．４〜１．７である樹脂シートを好適に用いることができる。
【００５９】
また、樹脂シート４の厚さ寸法は、樹脂シートの材質や設置場所に応じて種々変更することができ、特に限定されない。樹脂シート４の厚さ寸法は、例えば、０．０１ｍｍ〜１．０ｍｍ程度とすることが好ましい。樹脂シート４の厚さを上記範囲とすることにより、パーティション１００の構成部材として用いた場合に十分な耐久性を有し、かつ、設置場所に合わせて樹脂シート４の大きさを調整するための裁断が、大がかりな機具を用いることなくても容易であり、パーティション１００を設置する際の作業性を向上させることができる。
【００６０】
（パーティションの設置方法）
次に、本実施形態のシート保持具１を用いたパーティション１００の設置方法について説明する。
【００６１】
まず、第一方立２は、第一本体部材２１１、背面部材２１３、第一固定部２３を互いに固定した部品ａ、第二本体部材２１２、第一シート保持部２２の第一平板状部材２２１以外の部材を互いに固定した部品ｂ、および、第一平板状部材２２１の３つの部品に組み立てる。第二方立３も同様に、第一本体部材３１１、背面部材３１３、第二固定部３３を互いに固定した部品ｃ、第二本体部材３１２、第二シート保持部３２の第二平板状部材３２１以外の部材を互いに固定した部品ｄ、および、第二平板状部材３２１の３つの部品に組み立てる。
【００６２】
樹脂シート４は、設置場所の幅や高さに合わせて裁断する。さらに、第一シート保持部２２、第二シート保持部３２において樹脂シート４を固定するときに、ボルト２２５ａ、３２５ａを挿通するための穴を裁断した樹脂シート４にあけておく。なお、ボルト２２５ａ、３２５ａを樹脂シート４に挿通させることで、樹脂シート４に穴をあけてもよい。
【００６３】
第一方立２の第一本体部材２１１、背面部材２１３、第一固定部２３を互いに固定した部品ａと、第二方立３の第一本体部材３１１、背面部材３１３、第二固定部３３を互いに固定した部品ｃを、設置対象Ｓに固定する。図１、図４に示すように、第一固定部２３のクランプ本体部２３１ａを設置対象面Ｓ１に当接させて、クランプ固定ねじ２３２のハンドル部２３２ｂを回転させてねじ本体２３２ａを支持板２３２ｃが設置対象Ｓの下面（設置対象面Ｓ１とは反対側の面）に当接するまで、図１の矢印Ｇ方向に締めて固定する。これにより、第一方立２の部品ａが固定される。同様にして、クランプ本体部３３１ａと支持板３３２ｃにより設置対象Ｓを挟んで固定することにより、第二方立３の部品ｃを固定する。
【００６４】
次に、樹脂シート４を第一シート保持部２２と、第二シート保持部３２に固定する。ボルト２２５ａで固定する位置に合わせて、第一平板状部材２２１、第一Ｌ字状部材２２２を重ねて樹脂シート４の端部４１を挟み、ボルト２２５ａとナット２２５ｂを用いて固定する。また、ボルト３２５ａで固定する位置に合わせて、第二平板状部材３２１、第二Ｌ字状部材３２２を重ねて樹脂シート４の端部４２を挟み、ボルト３２５ａとナット３２５ｂを用いて固定する。これにより、樹脂シート４が第一シート保持部２２、第二シート保持部３２に保持される。
【００６５】
さらに、第一方立２の部品ａ、第二方立３の部品ｃに、樹脂シート４を固定した第一方立２の部品ｂ、第二方立３の部品ｄを固定する。第一方立２において、第一本体部材２１１の嵌合凹部２１１ｄと第二本体部材２１２の嵌合凸部２１２ｃとを嵌合させて、第一本体部材２１１と第二本体部材２１２の位置合わせを行い、ねじ２４ｂで第一本体部材２１１と第二本体部材２１２とを固定する。第二方立３においても同様に、第一本体部材３１１の嵌合凹部３１１ｄと第二本体部材３１２の嵌合凸部３１２ｃとを嵌合させて、第一本体部材３１１と第二本体部材３１２の位置合わせを行い、ねじ３４ｂで第一本体部材３１１と第二本体部材３１２とを固定する。
【００６６】
最後に、第二方立３の調整ボルト３２３をねじ穴３２２ｄから抜け出す方向またはねじ穴３２２ｄに挿し込む方向に回転させて、第二Ｌ字状部材３２２の第二垂直部分３２２ｂの対向方向の位置を調整することにより、展張した樹脂シート４のテンションを調整する。例えば、調整ボルト３２３をねじ穴３２２ｄから抜け出す方向に回転させることにより、図３の矢印Ｃ方向に樹脂シート４が引っ張られることになり、樹脂シート４のテンションを高くすることができる。
【００６７】
以上により、本実施形態のパーティション１００の設置が完了する。
【００６８】
本実施形態のパーティション１００は、使用中に樹脂シート４に物が当たる等して圧力が加わった場合においても、第一方立２に付勢手段としてばね部材２２３が設けられていることにより、圧力を吸収することができる。ばね部材２２３は通常は自然状態である。例えば、パーティション１００を設置して使用中に、樹脂シート４に物が当たり、図２の矢印Ｆで示す力が加わったとする。このとき、樹脂シート４は、図２の矢印Ｄ方向に引っ張られる。すると、第一Ｌ字状部材２２２の第一垂直部分２２２ｂに矢印Ｄ方向の力が加わり、ばね部材２２３が矢印Ｄ方向に弾性変形する。すると、ばね部材２２３の矢印Ｅ方向への復元力が働き、樹脂シート４を元の展張状態に戻そうとする。以上のように、本実施形態のパーティション１００であれば、使用中に樹脂シート４に物が当たる等して圧力が加わった場合においても、圧力を吸収することができる。
【００６９】
本実施形態のシート保持具１は、樹脂シート４を展張するために設置対象面Ｓ１に立設されるとともに、対向して設置されて樹脂シート４の両端部４１，４２をそれぞれ保持する、第一方立２と、第二方立３と、を備える。樹脂シート４は、所望の大きさに裁断して使用することが容易であることから、本実施形態のシート保持具１に樹脂シート４を保持させることにより、設置場所に応じて大きさを自由に調整することができるパーティションとすることができる。
【００７０】
また、本実施形態のシート保持具１は、第一シート保持部２２に対向方向外側に向かって、樹脂シートを付勢する、付勢手段（ばね部材２２３）が設けられている。このことから、本実施形態のシート保持具１を用いて樹脂シート４を保持させる場合に、しわや弛みの発生を抑制して、樹脂シート４を均一に展張することができる。
【００７１】
また、本実施形態のパーティション１００は、本実施形態のシート保持具１と、シート保持具１に保持される樹脂シート４と、を備える。樹脂シート４は、所望の大きさに裁断して使用することが容易であることから、シート保持具１に樹脂シート４を保持させることにより、設置場所に応じて大きさを自由に調整することができるパーティション１００とすることができる。
【００７２】
なお、樹脂シート４の高さ寸法は、図１に示すようにシート保持具１の高さ寸法よりも大きくてもよく、すなわち、樹脂シート４を弛まずに展張させることができれば、樹脂シート４はシート保持具１よりも上方にはみ出して保持されていてもよい。このことにより、本実施形態のシート保持具１、パーティション１００であれば、幅寸法のみではなく、高さ寸法においても、設置場所に応じて大きさを自由に調整することができる。
【００７３】
また、前述したように、本実施形態のシート保持具１を用いることにより、幅の広い場所を仕切るために用いる場合であっても、両端の方立（第一方立２、第二方立３）のみで、中間箇所に方立を追加しなくてもしわや弛みの発生を抑制して、樹脂シート４を均一に展張することができる。両端のみに方立を設置すればよいことから、視界が妨げられることなく、複数の人が対面する場所に設置する場合においても、意思疎通の阻害を抑制することができる。
【００７４】
また、前述したように、シート保持具１は、第一シート保持部２２に対向方向外側に向かって、樹脂シートを付勢する、付勢手段（ばね部材２２３）が設けられていることから、パーティション１００の樹脂シート４に外方から力が加わっても、その力を吸収することができる。このことにより、パーティション１００の安全性を向上させることができる。
【００７５】
また、本実施形態のパーティション１００において、樹脂シート４は巻き取りした状態で輸送することができることから、輸送コストを低減することができる。
【００７６】
なお、本発明は、前述した実施形態に限定されるものではなく、本発明の目的が達成できる他の構成等を含み、以下に示すような変形等も本発明に含まれる。
【００７７】
シート保持具１は、アルミニウムを用いて形成されていたが、本発明のシート保持具の材質はアルミニウムに限定されず、他の材料を用いて形成されていてもよい。
【００７８】
また、第一方立２は、付勢手段を構成するコイルばねであるばね部材２２３を有していたが、付勢手段はコイルばねに限定されず、他の付勢手段を用いて構成されていてもよい。
【００７９】
また、第二方立３は、調整手段を有して構成されていたが、本発明のシート保持具は調整手段を有していなくてもよい。例えば、パーティションの設置者が、樹脂シートを取り付けた第一方立と第二方立を対向方向外側に引っ張りながら組み立てることにより、樹脂シートのテンションを適切な状態にしてパーティションを設置することができる。
【００８０】
また、前述した実施形態においては、付勢手段が第一方立２に設けられていたが、第一方立２、第二方立３の両方に付勢手段が設けられていてもよい。
【００８１】
また、第一シート保持部２２、第二シート保持部３２の構成は、前述した実施形態に限定されず、樹脂シート４を保持することができれば、他の構成でもよい。
【００８２】
前述した実施形態においては、第一方立２、第二方立３の部材同士はＹ方向に２箇所で固定されているが、部材同士を適切に固定することができれば固定する箇所の数は限定されず、１箇所でもよいし、３箇所以上でもよい。
【００８３】
また、前述した実施形態において、付勢手段および調整手段は、Ｙ方向において２箇所に設けられていたが、樹脂シート４の展張状態を適切に調整することができれば設置値箇所の数は限定されず、１箇所に設けられていてもよいし、３箇所以上に設けられていてもよい。
【００８４】
前述した実施形態において、樹脂シート４は無色透明の樹脂シートであったが、樹脂シートの色調や透明度は使用目的により種々変更することができる。例えば、本発明のシート保持具、パーティションを用いて、複数の人が対面して意思疎通が行われることが想定されない場所を仕切る場合には、樹脂シートは無色透明でなくてもよい。
【００８５】
また、前述した実施形態において、シート保持具１は第一固定部２３、第二固定部３３を有しており、デスクやカウンター等を挟んで固定することにより設置するものであったが、シート保持具１の設置方法は特に限定されない。例えば、シート保持具は、第一固定部２３、第二固定部３３の代わりに、第一方立、第二方立の下部に脚部材を有しており、デスク、カウンター、床等の設置対象面に置いて使用されてもよい。
【００８６】
その他、本発明を実施するための最良の構成、方法などは、以上の記載で開示されているが、本発明は、これに限定されるものではない。すなわち、本発明は、主に特定の実施形態に関して特に説明されているが、本発明の技術的思想及び目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００８７】
１００      パーティション
１          シート保持具
２          第一方立
３          第二方立
４          樹脂シート
４１        一方側端部
４２        他方側端部
２１        第一本体部
２２        第一シート保持部
２３        第一固定部
２２１      第一平板状部材
２２２      第一Ｌ字状部材
２２２ａ    第一保持部分
２２２ｂ    第一垂直部分
２２３      ばね部材
３１        第二本体部
３２        第二シート保持部
３３        第二固定部
３２１      第二平板状部材
３２２      第二Ｌ字状部材
３２２ａ    第二保持部分
３２２ｂ    第二垂直部分
３２３      調整ボルト
【図１】
2022000556.tif 000003
【図２】
2022000556.tif 000004
【図３】
2022000556.tif 000005
【図４】
2022000556.tif 000006